(57)【要約】【課題】自動販売機における固定用台の取付孔にダミーの係合部を固定する場合に、その係合部の両側の側面部が破損するのを防止できるとともに、成形用金型の構造がシンプルでコストダウンが可能な自動販売機のディスプレー用ダミーを提供する。【解決手段】ダミー本体は自動販売機に設けられた固定用台上に立設して陳列される半円筒状に形成され、上記ダミー本体の底部には、上記取付孔に挿入されて係合しうるダミー本体から底部下方に係合部が延設され、上記係合部に形成された係止突部は上記ダミー本体の前面側にのみ形成されている。【選択図】図１
0003103846.tif 000002
【実用新案登録請求の範囲】
【請求項１】
自動販売機のディスプレー部に設けられた固定用台に設けられた取付孔に底部が固定され、上記固定用台上に立設して陳列されるディスプレー用ダミーであって、半円筒状に形成され、上記ダミー本体の底部には、上記取付孔に挿入されて係合しうるダミー本体から底部下方に係合部が延設されたディスプレー用ダミーにおいて、
上記係合部に形成された係止突部は上記ダミー本体の前面側にのみ形成されていることを特徴とする自動販売機のディスプレー用ダミー。
【請求項２】
上記係止突部は、上記ダミー本体の底面部との間に所定間隔をおいてダミー本体外方に向けて突設され、ダミー本体底面部と係止突部との間に上記固定用台に設けられた取付孔の周縁部が配置されるように構成されていることを特徴とする請求項１記載の自動販売機のディスプレー用ダミー。
【請求項３】
上記ダミー本体の底面部には上記係止突部に向けて膨出する突部が設けられていることを特徴とする請求項１又は２記載の自動販売機のディスプレー用ダミー。
【請求項４】
上記係止突部は、分割されて複数箇所に適宜な間隔をおいて形成されたことを特徴とする請求項１、２又は３記載の自動販売機のディスプレー用ダミー。  
【請求項５】
上記係合部の周面部における一部個所には、上記取付孔の周縁部に形成された凹部に係合しうる位置決め用突出部が設けられたことを特徴とする請求項１、２、３又は４記載の自動販売機のディスプレー用ダミー。
【請求項６】
上記係合部の周面部における左右の側面部にはダミー本体の上下方向に沿ってリブが形成されたことを特徴とする請求項１、２、３、４又は５記載の自動販売機のディスプレー用ダミー。
【請求項７】
上記係合部の底面部には半径方向に沿ってリブが形成されていることを特徴とする請求項１，２，３，４，５又は６記載の自動販売機のディスプレー用ダミー。
【請求項８】
上記ダミー本体底面部は平面に形成されたことを特徴とする請求項１、２、４、５、６又は７記載の自動販売機のディスプレー用ダミー。
【請求項９】
上記ダミー本体底面部は金型を用いて形成され、その金型に打ち込んだピンの頭部によりダミー本体底面部に上記突部が形成されたことを特徴とする請求項３、４、５、６、７又は８記載の自動販売機のディスプレー用ダミー。
【考案の詳細な説明】
【技術分野】
【０００１】
本考案は、自動販売機で販売されるコーヒー、ジュース、お茶等の飲料を入れる容器を模して成形され、飲料を入れた実物の容器の代わりに自動販売機内に展示されるディスプレー用ダミーに関する。
【背景技術】
【０００２】
一般的に、自動販売機内には、ディスプレー用ダミーを取り付けて展示するための固定用台を有するディスプレイ部が設けられ、その固定用台には、上記ダミーを固定しうる取付孔が穿設されている。
【０００３】
このようなディスプレー用ダミーは、ボトルの実物の容器を軸方向に沿って半截した半円筒形状に形成されている。
【０００４】
上記ディスプレー用ダミーには本体底面部の下部に上記取付孔に係止しうる係合部が延設されている。
【０００５】
そして、上記ディスプレー用ダミーの上記係合部は底面半円状に形成され、その周面部の全体に亘って係止突部が形成されることにより、その係止突部と本体底面部との間に係合溝部が形成され、その係合溝部を上記固定用台に形成された上記取付孔の周縁部に係合させることにより、ダミーの係合部を上記固定用台の取付孔に係止しうるように構成されている。
【０００６】
ところで、上記半円筒状のディスプレー用ダミーはポリカーボネート樹脂を素材とし、金型を用いて真空成形により形成される。即ち、幅方向断面が半円筒状の金型の上面にポリカーボネート樹脂フィルムを載置し、負圧を供給して金型下方へ吸引することにより型成形するものである。
この場合、半円筒状の金型の両側下部の部位は負圧により直接に下方へ吸引されることから、型表面に載置された樹脂が薄くなり、上記係合部の両側の側面部における係合溝部の肉厚が薄く形成されることになる。
【０００７】
従って、上記ダミーの係合部を上記固定用台の取付孔に係止させる場合に、上記係合部の両側の側面部における上記係止突部を変形させる必要があるが、その際、肉薄に形成された上記係合溝部の壁面が破損しやすいという不具合があった。
【０００８】
また、従来のディスプレー用ダミーでは、上記係止突部が上記係合部の周面部に設けられると共に、本体底面部にも設けられることが多かった。したがって、本体底面部に係止突部を形成するために、金型の構造が複雑化してコストアップを招くという不具合もあった。
【０００９】
本出願人は上記不具合を解消できる自動販売機のディスプレー用ダミーについて調査したが、関連する先行技術文献は発見できなかった。
【考案の開示】
【考案が解決しようとする課題】
【００１０】
そこで本考案は、自動販売機における固定用台の取付孔に上記係合部を固定する場合に、上記係合部の両側の側面部が破損することを防止できるとともに、成形用金型の構造がシンプルでコストダウンが可能な自動販売機のディスプレー用ダミーの提供を課題とする。
【課題を解決するための手段】
【００１１】
上記課題を解決するために、請求項１記載の本考案に係る自動販売機のディスプレー用ダミーは、自動販売機のディスプレー部に設けられた固定用台に設けられた取付孔に底部が固定され、上記固定用台上に立設して陳列されるディスプレー用ダミーであって、半円筒状に形成され、上記ダミー本体の底部には、上記取付孔に挿入されて係合しうるダミー本体から底部下方に係合部が延設されたディスプレー用ダミーにおいて、上記係合部に形成された係止突部は上記ダミー本体の前面側にのみ形成されていることを特徴とするものである。
【００１２】
即ち、本考案の自動販売機のディスプレー用ダミーにあっては、上記ダミー本体の底部の前面側の上記係止突部により上記取付孔に係止固定されるものである。
【００１３】
また、請求項２記載の本考案に係る自動販売機のディスプレー用ダミーは、上記係止突部が、上記ダミー本体の底面部との間に所定間隔をおいてダミー本体外方に向けて突設され、ダミー本体底面部と係止突部との間に上記固定用台に設けられた取付孔の周縁部が配置されるように構成されていることを特徴とする。
【００１４】
即ち、本考案の自動販売機のディスプレー用ダミーにあっては、上記ダミー本体底面部と上記係止突部との間に上記取付孔の周縁部を挿入して固定するものである。
【００１５】
また、請求項３記載の本考案に係る自動販売機のディスプレー用ダミーは、上記ダミー本体の底面部には上記係止突部に向けて膨出する突部が設けられていることを特徴とする。
【００１６】
即ち、本考案の自動販売機のディスプレー用ダミーにあっては、上記係止突部と上記突部との間に上記取付孔の周縁部を挿入して固定することができる。
【００１７】
また、請求項４記載の本考案に係る自動販売機のディスプレー用ダミーは、上記係止突部は、分割されて複数箇所に適宜な間隔をおいて形成されたことを特徴とする。
【００１８】
即ち、本考案の自動販売機のディスプレー用ダミーにあっては、上記係止突部のサイズが過大にならないように分割して形成されている。
【００１９】
また、請求項５記載の本考案に係る自動販売機のディスプレー用ダミーは、上記係合部の周面部における一部個所には、上記取付孔の周縁部に形成された凹部に係合しうる位置決め用突出部が設けられたことを特徴とする。
【００２０】
即ち、本考案の自動販売機のディスプレー用ダミーにあっては、上記凹部に上記位置決め用突出部を係合して位置決めすることができる。
【００２１】
また、請求項６記載の本考案に係る自動販売機のディスプレー用ダミーにあっては、上記係合部の周面部における左右の側面部にはダミー本体の上下方向に沿うリブが形成されたことを特徴とする。
【００２２】
即ち、本考案の自動販売機のディスプレー用ダミーにあっては、上記リブにより上記係合部における左右の側面部の強度が補強される。
【００２３】
また、請求項７記載の考案に係る自動販売機のディスプレー用ダミーは、上記係合部の底面部には半径方向に沿ってリブが形成されていることを特徴とする。
従って、請求項７記載の自動販売機のディスプレー用ダミーは、上記係合部の底面部に形成されたリブにより、上記係合部の半径方向における強度が補強される。
【００２４】
また、請求項８記載の本考案に係る自動販売機のディスプレー用ダミーは、上記ダミー本体底面部は平面に形成されたことを特徴とする。
本考案の自動販売機のディスプレー用ダミーにあっては、本体底面部がフラットであっても、上記係止突部との間に上記取付孔の周縁部を挟んで固定することができる。
【００２５】
また、請求項９記載の本考案に係る自動販売機のディスプレー用ダミーは、上記ダミー本体底面部は金型を用いて形成され、その金型に打ち込んだピンの頭部によりダミー本体底面部に上記突部が形成されたことを特徴とする。
【００２６】
即ち、本考案の自動販売機のディスプレー用ダミーにあっては、上記金型に上記突部を形成するための突出部位を設ける必要がない。
【考案の効果】
【００２７】
請求項１記載の本考案に係る自動販売機のディスプレー用ダミーは、上記係合部に形成された係止突部が上記ダミー本体の前面側にのみ形成されていることから、上記係合部を上記取付孔に固定する場合に、上記係合部における両側の側面部は変形させることなくスムースに取付孔に対し挿入できるので、無理な力が側面部にかからず、その側面部が破損するのを防止できる。
【００２８】
請求項２記載の本考案に係る自動販売機のディスプレー用ダミーは、上記係止突部が、上記ダミー本体の底面部との間に所定間隔をおいてダミー本体外方に向けて突設され、ダミー本体底面部と係止突部との間に上記固定用台に設けられた取付孔の周縁部が配置されるように構成されていることから、ダミー本体底面部と係止突部との間に上記固定用台に設けられた取付孔の周縁部が挟止されてダミー本体が確実に固定される。
【００２９】
請求項３記載の本考案に係る自動販売機のディスプレー用ダミーは、上記ダミー本体の底面部には上記係止突部に向けて膨出する突部が設けられていることから、上記取付孔の周縁部は上記突部と上記係止突部とにより上下方向から挟持されることになり、ダミー本体の固定状態が安定する。
【００３０】
請求項４記載の本考案に係る自動販売機のディスプレー用ダミーは、上記係合部の前面側に設けられた係止突部は、分割されて複数箇所に適宜な間隔で形成されたことから、それぞれの係止突部が一連に形成された場合に比べ変形しやすくなる。したがって、上記取付孔に対し上記係合部を着脱しやすくなる。
【００３１】
請求項５記載の本考案に係る自動販売機のディスプレー用ダミーは、上記係合部の周面部における一部個所には、上記取付孔の周縁部に形成された凹部に係合しうる位置決め用突出部が形成されたことから、上記凹部に上記位置決め用突出部を係合させる際に、係合作業を容易に行うことができると共に、ダミー本体の固定位置の修正を容易に行うことができる。
【００３２】
請求項６記載の本考案に係る自動販売機のディスプレー用ダミーは、上記係合部の周面部における左右の側面部に上下方向のリブが形成されたことから、上記リブの補強効果により上記係合部の周面部における左右の側面部が堅牢となり、さらに破損しにくくなる。
【００３３】
請求項７記載の本考案に係る自動販売機のディスプレー用ダミーは、係合部の底面部に設けられた半径方向に沿って形成されたリブにより係合部の半径方向における強度が増大することにより、固定用台の取付孔に挿入する際に繰り返し変形された場合であっても、変形に耐えることができる。
【００３４】
請求項８記載の考案にあっては、上記ダミー本体底面部が平面に形成されたことから、成形用の金型において上記ダミー本体底面部を形成する部位の形状がシンプルになり、金型の製作コストを低減することができる。
【００３５】
請求項９記載の本考案に係る自動販売機のディスプレー用ダミーは、上記ダミー本体底面部が金型を用いて形成され、その金型に打ち込んだピンの頭部によりダミー本体底面部に突部が形成されたことから、上記突部と上記係止突部とにより上記取付孔の周縁部を挟み止めしてダミー本体を確実に固定することができる。そして、上記突部は、金型にピンを打ち込んで、そのピンの頭部を利用して形成するので、金型に突起部を特に設ける必要がなく、金型形状をシンプルにして金型の製作コストを低減することができる。
【考案を実施するための最良の形態】
【００３６】
以下、図面を用いて本考案の実施の形態について説明する。
本実施形態に係る自動販売機のディスプレー用ダミー１は、図１に示すように、自動販売機のディスプレー部に設けられた固定用台２に設けられた取付孔３に底部４が固定され、上記固定用台２上に立設して陳列される半円筒状に形成され、上記ダミー本体５の底部４には、上記取付孔３に挿入されて係合しうるダミー本体５から底部下方に係合部６が延設されたディスプレー用ダミー１であって、上記係合部６に形成された係止突部７は上記ダミー本体５の前面側にのみ形成されている。
また、上記係止突部７は、図１及び図２に示すように、上記ダミー本体５の底面部８との間に所定間隔をおいてダミー本体５外方に向けて突設され、ダミー本体５底面部８と係止突部７との間に上記固定用台２に設けられた取付孔３の周縁部が配置されるように構成されている。。
また、上記ダミー本体５の底面部８には、図１及び図２に示すように、上記係止突部７に向けて膨出する突部９が設けられている。
上記係止突部７は、図１及び図３に示すように、一連ではなく、分割されて複数箇所に適宜な間隔をおいて形成されている。
上記係合部６の周面部における一部個所には、図１及び図５に示すように、上記取付孔３の周縁部に形成された凹部１０，１１に係合しうる位置決め用突出部１２，１３が設けられている。
また、図１、図３及び図５に示すように、上記係合部６周面部における左右の側面部には上下方向のリブ１４が形成されている。
また、上記ダミー本体５底面部８には半径方向に沿って複数本のリブ１７が形成されている。
また、上記ダミー本体５底面部８は、図６に示すように、金型１５を用いて形成され、その金型１５に打ち込んだピン１６の頭部によりダミー本体５底面部８に上記突部９が形成されている。
【実施例１】
【００３７】
図示した本実施例に係る自動販売機のディスプレー用ダミー１は、図１に示すように、飲料用ペットボトルのダミーであって、消費者が商品を選択しやすいように、自動販売機のディスプレー部の固定用台２上に立設されて陳列されるものである。
【００３８】
自動販売機のディスプレー部には、図１に示すような固定用台２が設置され、その固定用台２には複数の取付孔３が並列するように穿設されている。
【００３９】
上記ディスプレー用ダミー１は、図２に示すように、その底部４が上記固定用台２に設けられた取付孔３に係止されて固定され、上記固定用台２上に立設して陳列される。
【００４０】
上記ディスプレー用ダミー１は、ポリカーボネート樹脂フィルムを素材とし、図６に示すように、金型１５を用いて真空成形により形成されている。
【００４１】
上記ディスプレー用ダミー１は、図１に示すように、略半円筒状に形成され、上記ダミー本体５の底部４には、図１、図３及び図４に示すように、上記取付孔３に挿入されて係合しうる係合部６が延設されている。この係合部６はダミー本体５から底部下方に延設されている。
【００４２】
上記係合部６には、図１及び図３〜図５に示すように、係止突部７が形成されている。この係止突部７は上記ダミー本体５の前面側にのみ形成されている。
【００４３】
上記係止突部７は、図１及び図５に示すように、上記ダミー本体５の底面部８との間に所定間隔をおいてダミー本体５外方に向けて突設されている。
【００４４】
ダミー本体５は、図２に示すように、底面部８と係止突部７との間に上記固定用台２に設けられた取付孔３の周縁部が配置されるように構成されている。
【００４５】
上記ダミー本体５の底面部８には、図１〜図５に示すように、上記係止突部７に向けて膨出する突部９が設けられている。
【００４６】
なお、上記ダミー本体５の底面部８には上記突部９を形成せず、フラットにすることも可能である。上記突部９が存在しなくても、上記係止突部７が形成されていれば十分な固定力が得られるからである。しかしながら、上記突部９が形成されていれば固定力は一段とアップする。
【００４７】
上記のように、上記ダミー本体５の底面部８は、図６に示すように、金型１５を用いて形成されるが、その底面部８に設けられる上記突部９は、金型１５に打ち込んだピン１６の頭部により形成されている。
【００４８】
上記係止突部７は、図１、図３及び図５に示すように、一連ではなく、分割されて複数箇所に適宜な間隔をおいて形成されている。
【００４９】
上記係合部６の周面部には、上記係止突部７の他に、位置決め用突出部１２，１３が設けられている。これら位置決め用突出部１２，１３は、図１に示す上記取付孔３の周縁部に形成された凹部１０，１１に係合しうるように形成されている。即ち、半円状に形成された上記凹部１０に係合する位置決め用突出部１２は上記係止突部７のすぐ傍らに設けられ、三角形状の上記凹部に係合する位置決め用突出部１３は左右両側面部の後端位置に略三角形状に形成されている。
【００５０】
また、図１、図３及び図５に示すように、上記係合部６周面部における左右の側面部にはダミー本体５の上下方向に沿うリブ１４が形成されている。
【００５１】
以下、本実施の形態に係る自動販売機のディスプレー用ダミーの作用について説明する。
本自動販売機のディスプレー用ダミー１を製作する場合にあっては、幅方向半円筒状の金型表面にポリカーカーボネート樹脂フィルムを載置し、下方から負圧吸引を行うことによりポリカーボネート樹脂フィルムを金型に密着させた状態で加熱して型成形を行う。
【００５２】
この場合、最も樹脂フィルムの肉厚が薄くなる金型下部両側部に対応する部位である両側下部１８，１８においては、係止突部７が形成されておらず、ディスプレー用ダミー本体５の前面側にのみ係合突部７が形成されており、当該係合突部7によってのみ取付孔３に係合するように構成されていることから、固定用台２の取付孔３への係合の際に、当該部分の係止突部7を変形させて取付孔３内へ挿入する必要はなく、最も肉厚の薄い部分であるに両側下部１８，１８おいて、取付孔３への挿入係合のための大きな負荷がかからないことから、従来のように、繰り返し使用する過程で両側下部１８，１８から破損する、という事態を防止することができる。
【００５３】
また、上記係合突部6の幅方向の両側下部の係合突部７が設けられていない部位においては、両側部に、上具方向に沿ってリブ１４、１４が設けられていることから、両側下部１８，１８において補強がされており、取付孔３への挿入時に発生する変形に耐えうるように構成されている。
【００５４】
また、本実施の形態に係る自動販売機のディスプレー用ダミーにあっては、係合部６には位置決め用突出部１２，１３が形成されていることから、固定用台２の取付孔３への取り付けにあたっては、上記位置決め用突出部１２，１３を利用して容易に挿入係合させることができ、係合部6の無用な変形を防止し、破損の事態を避けることができる。
【００５５】
また、係合部６の底部４にあっては、半径方向に沿って複数本のリブ１７が形成されていることから、上記同様に、取付孔３への挿入時に係合部６の変形が発生した場合であっても、係合部6そのものの強度の補強がなされていることから、破損の事態を防止することができる。
【００５６】
さらに、本実施の形態の自動販売機のディスプレー用ダミー１にあっては、突部９が設けられていることから、係止突部７と共に、上下方向において取付孔３の周縁部を挟み持つことができるため、固定用台２上に自動販売機のディスプレー用ダミー１を確実に立設することができる。
【００５７】
また、この突部９は、金型の対して打ち込まれたピンにより形成されることから、金型本体の形状が複雑になることもなく、金型製作に要する費用が嵩む、という事態を防止することができる。
なお、本実施の形態に係る自動販売機のディスプレー用ダミー１にあっては、底部８に突部９が設けられている場合を例に説明したが、上記実施の形態に限定されず、突部８が設けられないものであってもよい。  
【産業上の利用可能性】
【００５８】
本考案は、ペットボトルのダミーに限らず、自動販売機で販売される全ての商品のダミーに適用可能である。
【図面の簡単な説明】
【００５９】
【図１】固定用台とダミーの斜視図である。
【図２】ダミーの底部に設けた係合部を固定用台の取付孔に固定した状態の断面図である。
【図３】ダミーの正面図である。
【図４】ダミーの側面図である。
【図５】ダミーの底面図である。
【図６】金型で突部を形成する部位の断面図である。
【符号の説明】
【００６０】
１    ディスプレー用ダミー
２    固定用台
３    取付孔
４    底部
５    ダミー本体
６    係合部
７    係止突部
８    底面部
９    突部
１０  凹部
１１  凹部
１２  位置決め用突出部
１３  位置決め用突出部
１４  リブ
１５  金型
１６  ピン
１７  リブ
１８  両側下部
【図１】
0003103846.tif 000003
【図２】
0003103846.tif 000004
【図３】
0003103846.tif 000005
【図４】
0003103846.tif 000006
【図５】
0003103846.tif 000007
【図６】
0003103846.tif 000008